(57)【要約】【課題】キャップを軸筒に螺子嵌合した際に、キャップの周方向の所望する位置と軸筒の周方向の所望する位置が揃った状態で、キャップと軸筒の螺子嵌合が終了する筆記具を得る。【解決手段】キャップの頭端部に内壁面に雌ねじ部を有した係合孔部を形成する。内筒体に、前記雌ねじ部に噛合う雄ねじ部を有した係合突部を形成する。内筒体の開口端部に軸筒の先端部に当接する当接部を設ける。頭端部に設けた雄ねじ部を係合孔部の雌ねじ部に螺着して、内筒体をキャップに対し前後に摺動可能に挿着する。キャップを軸筒の先端部に螺子嵌合し、キャップの周方向の所望する位置と軸筒の周方向の所望する位置が揃った状態の際に、内筒体を回転して摺動し、内筒体の当接部を軸筒の先端部に当接することで、その位置をキャップと軸筒の最終螺子嵌合位置とする。【選択図】      図４
2004358705.tif 000002
【特許請求の範囲】
【請求項１】
内部に内筒体を配したキャップを、軸筒に着脱自在に螺子嵌合してなる筆記具であって、キャップの頭端部に該キャップの内外を連通する内壁面に雌ねじ部を設けた係合孔部を形成し、内筒体に前記雌ねじ部に噛合う雄ねじ部を有した係合突部を形成し、内筒体を、前記雌ねじ部に雄ねじ部を螺合してキャップに対して前後に摺動可能に配設し、キャップを軸筒に螺子嵌合してキャップの周方向の所望する位置と軸筒の周方向の所望する位置が揃った状態で、内筒体を回転して摺動し、内筒体の開口端部に設けた当接部を軸筒の先端部に当接させることにより、キャップと軸筒の最終螺子嵌合位置を決定したことを特徴とする筆記具。
【請求項２】
内部に内筒体を配したキャップを、軸筒に着脱自在に螺子嵌合してなる筆記具であって、キャップの頭端部に該キャップの内外を連通する内壁面に雌ねじ部を設けた係合孔部を形成し、前記雌ねじ部に噛合う雄ねじ部を有した係合突部と内筒体の頭端部に当接する支持部を有した調整用ビスを設け、該調整用ビスを、前記雌ねじ部に雄ねじ部を螺合してキャップに対して前後に摺動可能に配設し、内筒体をキャップ内に前後に摺動可能に挿着して頭端部を前記調整用ビスの支持部に当接し、キャップを軸筒の先端部に螺子嵌合してキャップの周方向の所望する位置と軸筒の周方向の所望する位置が揃った状態で、前記調整用ビスを回転して摺動することで内筒体を摺動し、内筒体の開口端部に設けた当接部を軸筒の先端部に当接させることにより、キャップと軸筒の最終螺子嵌合位置を決定したことを特徴とする筆記具。
【発明の詳細な説明】
【０００１】
【発明の属する技術分野】
本発明は、キャップを軸筒に着脱自在に螺子嵌合した際に、キャップの周方向の所望する位置と軸筒の周方向の所望する位置が揃うように、キャップと軸筒の最終螺子嵌合位置を決定した筆記具に関する。
【０００２】
【従来の技術】
従来より、キャップを軸筒に着脱自在に螺子嵌合してなる筆記具は知られており、また、高級感をかもしだすためにキャップや軸筒の表面に蒔絵や模様を施したり、またはデザインの目新しさを出すためにキャップや軸筒の外形形状を、単なる円筒形状ではなく断面形状が多角形としたものも知られている。また最近では、キャップや軸筒を透明の樹脂材で形成するものが提案されている。
【０００３】
【発明が解決しようとする課題】
しかし、キャップを軸筒に着脱自在に螺子嵌合してなる筆記具においては、後者のような筆記具だと、キャップを軸筒に螺子嵌合して螺子嵌合が終了した際に、キャップと軸筒の絵柄が連続した（揃った）状態にならなかったり、あるいはキャップや軸筒の角部の稜線がキャップと軸筒で連続した状態にならなかったりというで問題がある。また、万年筆等においては、ペンが表裏ある形状であるために、軸筒における周方向の位置を特定する目印となり、キャップにはクリップが装着してあり周方向の位置を特定する目印となる。キャップを透明な樹脂材で形成した際には、外方からペンとクリップの位置関係が見えてしまうために、ペンの向きがクリップの位置に揃うことも求められ始めている。
【０００４】
こうした課題を解決する手段として、キャップや軸筒に形成した雌ねじ部又は雄ねじ部の開始位置や終わり位置を、螺子嵌合が終了した際に常にキャップと軸筒の絵柄や稜線等が連続する（揃う）ように、周方向において特定した位置とする方法がある。例えば、キャップ及び軸筒を射出成形により形成する場合には、特開平１１−２７７９７１号公報に開示されているように、キャップの雌ねじ部の形成においては射出成形時に螺子部を設けたコアピンを回転することなく真っ直ぐに引き抜くことにより、雄ねじ部においては割型等を用いることにより形成することが可能である。しかし、キャップや軸筒が金属製のものにあっては、前記方法は採用できない。
【０００５】
また、特開２００２−８６９７５号公報により他の手段が開示されているが、軸筒が胴部と首部を連結部材で連結してなる構造のものに関するものであり、連結部材を有さない軸筒にあっては採用することはできないという問題がある。
【０００６】
本発明者達はこうした現状に鑑みて、キャップや軸筒の材質に関係なく、また軸筒が、例えば万年筆に見られるように首部と胴部で構成され連結部材で連接した構造であろうとなかろうと、そのような構造に左右されることなく、キャップを軸筒に螺子嵌合した際に、キャップの周方向の所望する位置と軸筒の周方向の所望する位置が揃った状態、例えばキャップと軸筒の絵柄が連続した（揃った）状態で螺子嵌合が終了となる筆記具を提供することを考え、本発明に至った。
【特許文献１】
特開平１１−２７７９７１号公報
【特許文献２】
特開２００２−８６９７５号公報
【０００７】
【課題を解決するための手段】
本発明は、
「１．内部に内筒体を配したキャップを、軸筒に着脱自在に螺子嵌合してなる筆記具であって、キャップの頭端部に該キャップの内外を連通する内壁面に雌ねじ部を設けた係合孔部を形成し、内筒体に前記雌ねじ部に噛合う雄ねじ部を有した係合突部を形成し、内筒体を、前記雌ねじ部に雄ねじ部を螺合してキャップに対して前後に摺動可能に配設し、キャップを軸筒に螺子嵌合してキャップの周方向の所望する位置と軸筒の周方向の所望する位置が揃った状態で、内筒体を回転して摺動し、内筒体の開口端部に設けた当接部を軸筒の先端部に当接させることにより、キャップと軸筒の最終螺子嵌合位置を決定したことを特徴とする筆記具。
２．内部に内筒体を配したキャップを、軸筒に着脱自在に螺子嵌合してなる筆記具であって、キャップの頭端部に該キャップの内外を連通する内壁面に雌ねじ部を設けた係合孔部を形成し、前記雌ねじ部に噛合う雄ねじ部を有した係合突部と内筒体の頭端部に当接する支持部を有した調整用ビスを設け、該調整用ビスを、前記雌ねじ部に雄ねじ部を螺合してキャップに対して前後に摺動可能に配設し、内筒体をキャップ内に前後に摺動可能に挿着して頭端部を前記調整用ビスの支持部に当接し、キャップを軸筒の先端部に螺子嵌合してキャップの周方向の所望する位置と軸筒の周方向の所望する位置が揃った状態で、前記調整用ビスを回転して摺動することで内筒体を摺動し、内筒体の開口端部に設けた当接部を軸筒の先端部に当接させることにより、キャップと軸筒の最終螺子嵌合位置を決定したことを特徴とする筆記具。」
に関する。
【０００８】
本発明の特徴は、キャップを軸筒に螺子嵌合した際に、キャップの周方向の所望する位置と軸筒の周方向の所望する位置が揃った状態で螺子嵌合が終了となるようにしたもので、キャップ内に装着した内筒体の当接部が軸筒の先端部に当接し、軸筒がキャップ内を頭端部側に回転・前進できないようにして最終螺子嵌合位置とするものである。
【０００９】
【発明の実施の形態】
本発明の実施の形態を図面を用いて説明する。本発明の実施の形態では万年筆として説明するが、本発明はこれに限定されるものではない。なお、同じ部材、同じ箇所には同じ符号を付してある。
図１及び図２に示す本発明に係る万年筆１は、従来良く知られている、キャップ２を軸筒３に着脱自在に螺子嵌合してなる構造である。軸筒３はペン４を装着した首部５と胴部６とで構成されており、首部５と胴部６を螺子嵌合（図示せず）してある。キャップ２及び軸筒３の胴部６の外周面には、周方向に軸心方向に沿って凹凸した波状の環状模様７、８を何重にも形成してある。胴部６の前方には、キャップ２の雌ねじ部９に噛合う雄ねじ部１０を設けてある。
【００１０】
図３〜図６は、請求項１に係る発明の実施の形態を示すもので、キャップ２に装着したクリップ１１は、前記環状模様７のキャップ２の頭端部２ａ側に突出した凸部７ａに揃うように配設してあり、ペン４は、該ペン４の表面４ａと胴部６に施した前記環状模様８の首部４側に突出した凸部８ａが揃うようにして、首部４に装着してある。
【００１１】
キャップ２の頭端部２ａには外方に突出した小径部１２を形成してあり、キャップ２の内外を連通する係合孔部１３を形成してある。クリップ１１は、前記小径部１２にリング状の取付部（図示せず）を挿着し、前記小径部１２の外周壁面に形成した雄ねじ部１４にナット１５を螺着して締め付けることで、キャップ２に取り付けてある。
【００１２】
キャップ２内には、頭端部１６ａ側を有底とした内筒体１６を、キャップ２に対して前後に摺動可能に配設してある。内筒体１６の開口端部の縁部１６ｂは、首部５の先端縁部５ａに当接する当接部１７としてある。内筒体１６の頭端部１６ａには、前記係合孔部１３の内壁面に形成した雌ねじ部１８に螺着する雄ねじ部１９を有した外方に突出した係合突部２０を形成してある。内筒体１６は、前記雄ねじ部１９を係合孔部１３の雌ねじ部１８に螺着し、回転して摺動可能にキャップ２に取り付けてある。
【００１３】
キャップ２を軸筒３に螺子嵌合した際に、最終螺子嵌合の位置が、キャップの周方向の所望する位置と軸筒の周方向の所望する位置が揃うようにするには、次のようにしてキャップを組み立てる。
【００１４】
先ず、内筒体１６を、該内筒体１６内部に形成した平地カット面部１６Ｃ（図５を参照）にジグ（図示せず）を係止して回転し、キャップ２の頭端部２ａ側に前進させておく。次に、軸筒３にキャップ２を螺子嵌合し、一旦、螺子嵌合が終了するまで（内筒体１６の当接部１７が首部５の先端縁部５ａに当接して、前進不能となるまで）、軸筒３を前進させる。その後に、キャップ２又は軸筒３を逆方向へ回転して後退させ、キャップ２に装着したクリップ１１とペン４の表面４ａが周方向において同一方向となり、キャップ２と胴部６に施した環状模様７、８の突出した凸部７ａと８ａが一直線上に揃った位置で回転・後退を止める。
【００１５】
次に、内筒体１６を、係合突部２０の係止溝２１にジグ等の先端（図示せず）を係止して前記した場合と逆の方向に回転して後退させ、内筒体１６の当接部１７を首部５の先端縁部５ａに当接させ、キャップ２と軸筒３の最終螺子嵌合位置とする。最後に、頭冠２２を、前記ナット１５の外周面に形成した雄ねじ部２３に頭冠２２の内壁面に形成した雌ねじ部２４を螺着して、キャップ２に装着する。
【００１６】
図７〜図１１に示す請求項２に係る発明の万年筆５０は、キャップ２に、前記の実施の形態の場合と同様に、係合孔部１３を有した小径部１２を形成してあり、第１の実施の形態の場合と同様にして、クリップ１１をキャップ２に取り付けてある。
【００１７】
キャップ２内には、図７及び図８に示すように、頭端部５１ａ側を有底とした内筒体５１をキャップ２に対して前後（図において左右方向）に摺動可能に挿着してある。内筒体５１の開口端部５１ｂの縁部は、前記の実施の形態の場合と同様に、首部５の先端縁部５ａに当接する当接部５２としてある。頭端部５１ａのキャップ２の頭端部２ａ側の前方には、図９〜図１１に示すような、前記係合孔部１３の内壁面に形成した雌ねじ部１８と噛合う雄ねじ部５３を有した固定部５４と、内筒体５１の頭端部５１ａに当接する支持部５５とで構成された調整用ビス５７を、前記係合孔部１３に螺着して摺動可能にキャップ２に配設してある。調整用ビス５６の固定部５４には、前記の実施の形態の場合と同様に調整ビス５６を回転させるための係止溝５７が設けてある。また、調整用ビス５６の断面形状は、キャップ２の開口端部２ｂ側から挿入して前記係合孔部１３に螺着するために、ジグ等で挟持するための挟持部５８を有した形状としてある。
【００１８】
キャップ２を軸筒３に螺子嵌合した際に、最終螺子嵌合の位置が、キャップ２の周方向の所望する位置と軸筒３の周方向の所望する位置が揃うようにするには、次のようにしてキャップを組み立てる。
【００１９】
第１の実施の形態の場合と同様に、図７に示すようにキャップ２と軸筒３を螺子嵌合する。その際、調整用ビス５６を、挟持部５８をジグ等（図示せず）で挟持して、固定部５４を係合孔部１３に挿入して螺着し、回転させてキャップ２の頭端部２ａ側に前進可能な限り前進させておくとともに、内筒体５１も同様に仮圧入し、頭端部５１ａを調整用ビス５６の支持部５５に当接させておく。一旦、キャップ２と軸筒３を螺子嵌合が終了するまで回転し、回転が止まったところで、キャップ２又は軸筒３を逆方向へ回転し、キャップ２に装着したクリップ１１とペン４の表面４ａが周方向において同一方向となり、キャップ２と胴部６に施した環状模様７、８の凸部７ａと８ａが揃った位置で回転・後退を止める。
【００２０】
この状態で、調整用ビス５６を前記と逆方向に回転して後退させるとともに、支持部５５に頭端部５１ａを当接した内筒体５１も後退させ、内筒体５１の当接部５２を首部５の先端縁部５ａに当接させ、キャップ２と軸筒３の最終螺子嵌合位置とする。最後に、前記の実施の形態と同様に、頭冠２２を、前記ナット１４に螺着して、キャップ２に装着する。
【００２１】
【発明の効果】
本発明の筆記具は前述したような構造なので、キャップや軸筒の材質に関係なく、また軸筒の構造に左右されることなく、キャップを軸筒に螺子嵌合した際に、キャップと軸筒に施した蒔絵の絵柄や模様の図柄が揃ったり連続したりした、あるいは外形形状が多角形状であるキャップや胴部の場合には、角部の稜線がキャップと軸筒で連続した状態で、螺子嵌合が終了となる。
【図面の簡単な説明】
【図１】本発明の筆記具の実施の形態を示す、キャップを軸筒に螺子嵌合する前の状態を示す万年筆の側面図である。
【図２】図１の万年筆において、キャップを軸筒に螺子嵌合した状態を示す万年筆の側面図である。
【図３】請求項１に係る発明の実施の形態を示し、組立を説明するためのキャップを軸筒に螺子嵌合した状態を示す、キャップ部分を断面とした万年筆の要部の拡大側面図である。
【図４】図３において、キャップを軸筒に最終螺子嵌合した状態を示す、キャップ部分を断面とした万年筆の要部の拡大側面図である。
【図５】図３における、内筒体の拡大縦断面図である。
【図６】図５における内筒体の、左側面図である。
【図７】請求項２に係る発明の実施の形態を示し、組立を説明するためのキャップを軸筒に螺子嵌合した状態を示す、キャップ部分を断面とした万年筆の要部の拡大側面図である。
【図８】図７において、キャップを軸筒に最終螺子嵌合した状態を示す、キャップ部分を断面とした万年筆の要部の拡大側面図である。
【図９】図７における、調整用ビスの拡大縦断面図である。
【図１０】図９における調整用ビスの、左側面図である。
【図１１】図９における調整用ビスの、右側面図である。
【符号の説名】
１、５０  万年筆
２  キャップ
３  軸筒
７、８  環状模様
１３  係合孔部
１４  雌ねじ部
１６、５１  内筒体
１７、５２  当接部
１８  雌ねじ部
１９、５３  雄ねじ部
２０  係合突部
５４  固定部
５５  支持部
５６  調整用ビス
【図１】
2004358705.tif 000003
【図２】
2004358705.tif 000004
【図３】
2004358705.tif 000005
【図４】
2004358705.tif 000006
【図５】
2004358705.tif 000007
【図６】
2004358705.tif 000008
【図７】
2004358705.tif 000009
【図８】
2004358705.tif 000010
【図９】
2004358705.tif 000011
【図１０】
2004358705.tif 000012
【図１１】
2004358705.tif 000013